(57)【要約】【課題】耳障りなハウリングや衝撃音の発生を抑制し、音響設備の損傷を防止するとともに、消費電力を低減することができる赤外線ワイヤレスマイクの制御装置及び赤外線ワイヤレスマイクを提供する。【解決手段】制御装置５は、入力した音声信号を赤外線信号に変換して出力する赤外線ワイヤレスマイク３の制御装置である。加速度センサ２１は、赤外線ワイヤレスマイク３に生じる加速度情報を検出する。ジャイロセンサ２２は、赤外線ワイヤレスマイク３の姿勢情報を検出する。制御部２０は、加速度センサ２１の出力に基づいて赤外線ワイヤレスマイク３の落下を検出すると、赤外線ワイヤレスマイク３の動作を停止する。また、制御部２０は、ジャイロセンサ２２の出力に基づいて赤外線ワイヤレスマイク３が一定時間静止状態であることを検出した場合に、赤外線ワイヤレスマイク３の動作を停止する。【選択図】図３
2019080208.tif 000002
【特許請求の範囲】
【請求項１】
入力した音声信号を赤外線信号に変換して出力する赤外線ワイヤレスマイクの制御装置であって、
前記赤外線ワイヤレスマイクに生じる加速度情報を検出する加速度センサと、
前記加速度センサの出力に基づいて前記赤外線ワイヤレスマイクの落下を検出すると、前記赤外線ワイヤレスマイクの動作を停止する制御部と、
を備える赤外線ワイヤレスマイクの制御装置。  
【請求項２】
前記赤外線ワイヤレスマイクの姿勢情報を検出する姿勢センサを備え、
前記制御部は、
前記姿勢センサの出力に基づいて前記赤外線ワイヤレスマイクが一定時間静止状態であることを検出した場合に、前記赤外線ワイヤレスマイクの動作を停止する、
請求項１に記載の赤外線ワイヤレスマイクの制御装置。
【請求項３】
前記制御部は、
前記赤外線ワイヤレスマイクの動作を停止した後、前記姿勢センサのセンサ出力に基づいて前記赤外線ワイヤレスマイクの移動を検出すると、前記赤外線ワイヤレスマイクの動作を再開する、
請求項２に記載の赤外線ワイヤレスマイクの制御装置。
【請求項４】
入力した音声信号を赤外線信号に変換して出力する赤外線ワイヤレスマイクの制御装置であって、
前記赤外線ワイヤレスマイクの姿勢情報を検出する姿勢センサと、
前記姿勢センサの出力に基づいて前記赤外線ワイヤレスマイクが一定時間静止状態であった場合に、前記赤外線ワイヤレスマイクの動作を停止する制御部と、
を備える赤外線ワイヤレスマイクの制御装置。
【請求項５】
前記制御部は、
前記赤外線ワイヤレスマイクの動作を停止した後、前記姿勢センサのセンサ出力に基づいて前記赤外線ワイヤレスマイクの移動を検出すると、前記赤外線ワイヤレスマイクの動作を再開する、
請求項４に記載の赤外線ワイヤレスマイクの制御装置。
【請求項６】
前記制御部は、
前記音声信号のミュートと、前記赤外線信号の出力の停止との少なくとも一方を行うことにより、前記赤外線ワイヤレスマイクの動作を停止する、
請求項１から５のいずれか一項に記載の赤外線ワイヤレスマイクの制御装置。
【請求項７】
入力した音声信号を赤外線信号に変換して出力する赤外線ワイヤレスマイクのマイク本体と、
請求項１から６のいずれか一項に記載の赤外線ワイヤレスマイクの制御装置と、
を備える赤外線ワイヤレスマイク。
【発明の詳細な説明】
【技術分野】
【０００１】
本発明は、赤外線ワイヤレスマイクの制御装置及び赤外線ワイヤレスマイクに関する。
【背景技術】
【０００２】
カラオケボックス等では、スピーカを備えるカラオケ装置本体と無線で接続されるワイヤレスマイクが使用されるのが一般的である。ワイヤレスマイクに入力された音声は、無線信号としてカラオケ装置本体に送信され、音楽とともにスピーカで再生される。
【０００３】
カラオケ装置本体とワイヤレスマイクとの間で行われる通信方法としては、赤外線を採用するのが望ましい。赤外線はカラオケボックスの壁面を通り抜けることができないので、ワイヤレスマイクを、それぞれの部屋において部屋間で互いに干渉することのない独立ユーティリティとして用いることができるためである。
【先行技術文献】
【特許文献】
【０００４】
【特許文献１】特開平１０−１０８２８８号公報
【発明の概要】
【発明が解決しようとする課題】
【０００５】
このようにしてカラオケ等に用いられる赤外線ワイヤレスマイクには、実際に使用してみないとわからないような様々な課題が見いだされている。
【０００６】
例えば、赤外線ワイヤレスマイクは、テーブルの上に置かれ放置された状態でも、電源が入っていれば、入力した音声（例えばスピーカの出力）を拾ってその音声に対応する赤外線信号をカラオケ装置本体に送っている。このような動作は、電力を無駄に消費しているうえ、耳障りなハウリング現象を引き起こす。ハウリング現象は、赤外線ワイヤレスマイク自体やカラオケ装置本体のスピーカ等の音響設備の損傷の原因となる。
【０００７】
また、赤外線ワイヤレスマイクを、使用中に誤って手から落とすと、床にあたったときの衝撃音を赤外線ワイヤレスマイクが拾ってしまい、耳障りな音を再生してしまう場合がある。このような落下時の衝撃音は、音響設備の損傷の原因にもなる。
【０００８】
本発明は、上記実情に鑑みて成されたものであり、耳障りなハウリングや衝撃音の発生を抑制し、音響設備の損傷を防止するとともに、消費電力を低減することができる赤外線ワイヤレスマイクの制御装置及び赤外線ワイヤレスマイクを提供することを目的とする。
【課題を解決するための手段】
【０００９】
上記目的を達成するために、本発明の第１の観点に係る赤外線ワイヤレスマイクの制御装置は、
入力した音声信号を赤外線信号に変換して出力する赤外線ワイヤレスマイクの制御装置であって、
前記赤外線ワイヤレスマイクに生じる加速度情報を検出する加速度センサと、
前記加速度センサの出力に基づいて前記赤外線ワイヤレスマイクの落下を検出すると、前記赤外線ワイヤレスマイクの動作を停止する制御部と、
を備える。  
【００１０】
この場合、前記赤外線ワイヤレスマイクの姿勢情報を検出する姿勢センサを備え、
前記制御部は、
前記姿勢センサの出力に基づいて前記赤外線ワイヤレスマイクが一定時間静止状態であることを検出した場合に、前記赤外線ワイヤレスマイクの動作を停止する、
こととしてもよい。
【００１１】
また、前記制御部は、
前記赤外線ワイヤレスマイクの動作を停止した後、前記姿勢センサのセンサ出力に基づいて前記赤外線ワイヤレスマイクの移動を検出すると、前記赤外線ワイヤレスマイクの動作を再開する、
こととしてもよい。
【００１２】
本発明の第２の観点に係る赤外線ワイヤレスマイクの制御装置は、
入力した音声信号を赤外線信号に変換して出力する赤外線ワイヤレスマイクの制御装置であって、
前記赤外線ワイヤレスマイクの姿勢情報を検出する姿勢センサと、
前記姿勢センサの出力に基づいて前記赤外線ワイヤレスマイクが一定時間静止状態であった場合に、前記赤外線ワイヤレスマイクの動作を停止する制御部と、
を備える。
【００１３】
また、前記制御部は、
前記赤外線ワイヤレスマイクの動作を停止した後、前記姿勢センサのセンサ出力に基づいて前記赤外線ワイヤレスマイクの移動を検出すると、前記赤外線ワイヤレスマイクの動作を再開する、
こととしてもよい。
【００１４】
前記制御部は、
前記音声信号のミュートと、前記赤外線信号の出力の停止との少なくとも一方を行うことにより、前記赤外線ワイヤレスマイクの動作を停止する、
こととしてもよい。
【００１５】
本発明の第３の観点に係る赤外線ワイヤレスマイクは、
入力した音声信号を赤外線信号に変換して出力する赤外線ワイヤレスマイクのマイク本体と、
本発明の赤外線ワイヤレスマイクの制御装置と、
を備える。
【発明の効果】
【００１６】
本発明によれば、赤外線ワイヤレスマイクの落下や一定時間静止状態であることを検出すると、赤外線ワイヤレスマイクの動作を停止する制御を行う。これにより、赤外線ワイヤレスマイクが、衝撃音等を拾わないようにすることができるうえ、使用中でない場合の不要な電力消費を防ぐことができる。すなわち、本発明によれば、耳障りなハウリングや衝撃音の発生を抑制し、音響設備の損傷を防止するとともに、消費電力を低減することができる。
【図面の簡単な説明】
【００１７】
【図１】本発明の実施の形態に係るカラオケボックスにおける音響設備の構成を示すブロック図である。
【図２】図２（Ａ）は、赤外線ワイヤレスマイクの正面図である。図２（Ｂ）は、赤外線ワイヤレスマイクに内蔵されるセンサ類を示す斜視図である。
【図３】図１のカラオケボックスの音響設備を構成する赤外線ワイヤレスマイクのシステム構成を示すブロック図である。
【図４】図３の制御部の構成を示す模式図である。
【図５】図３の制御装置の動作を示すフローチャートである。
【図６】図３の制御装置の動作を示すタイミングチャートである。
【発明を実施するための形態】
【００１８】
以下、本発明の実施の形態について、図面を参照して詳細に説明する。全図において、同一又は相当する構成要素には、同一符号を付している。
【００１９】
図１に示すように、本実施の形態に係るカラオケシステム１は、カラオケ装置本体２と、赤外線ワイヤレスマイク３と、を備える。カラオケシステム１は、カラオケボックス等に設置される。カラオケボックスの床Ｆ上には、他にテーブル７やソファ８が置かれている。赤外線ワイヤレスマイク３は、使用されていない状態では、テーブル７やソファ８の上に置かれているのが一般的である。
【００２０】
赤外線ワイヤレスマイク３は、入力した音声信号を赤外線信号に変換して出力するマイクロフォンである。赤外線ワイヤレスマイク３は、歌う人が把持した状態で用いられる。
【００２１】
カラオケ装置本体２は、赤外線ワイヤレスマイク３から出力された赤外線信号を入力し、再生する楽曲とともに赤外線信号に対応する音声をスピーカで再生する。
【００２２】
図２（Ａ）に示すように、赤外線ワイヤレスマイク３は、マイク本体４を中心に構成される。マイク本体４には、赤外線ワイヤレスマイク３を制御する制御装置５が内蔵されている。制御装置５は、赤外線ワイヤレスマイク３を動作させたり、停止させたりする制御を行う。
【００２３】
また、図２（Ｂ）に示すように、赤外線ワイヤレスマイク３には、制御装置５の一部としてセンサ類６（後述する加速度センサ２１及びジャイロセンサ（姿勢センサ）２２）も組み込まれている。これらのセンサ類６の出力情報は、制御装置５による赤外線ワイヤレスマイク３の動作及び動作停止の制御に用いられる。
【００２４】
図３に示すように、赤外線ワイヤレスマイク３は、音声入力部１０と、プリアンプ１１と、音声信号圧縮部１２と、ミュートスイッチ１３と、周波数変調部１４と、アンプ１５と、赤外線送信部１６と、を備える。これらの構成要素が、マイク本体４において、入力した音声信号を赤外線信号に変換して出力する部分に対応する。
【００２５】
また、赤外線ワイヤレスマイク３は、制御部２０と、加速度センサ２１と、ジャイロセンサ２２と、を備える。これらの構成要素が、制御装置５の構成要素に対応する。
【００２６】
まず、マイク本体４の上記各構成要素の詳細について説明する。
【００２７】
音声入力部１０は、音声を入力して音声信号に変換する。具体的には、音声入力部１０は、音（空気振動）を受け止めるダイヤフラム等を備えている。音声入力部１０は、このダイヤフラムの振動を電気信号に変換する。この電気信号が音声信号である。
【００２８】
プリアンプ１１は、音声入力部１０から出力された音声信号を、増幅するアンプ回路である。このプリアンプ１１により、音声信号は、所定の増幅率で増幅される。
【００２９】
音声信号圧縮部１２は、プリアンプ１１で増幅された音声信号を圧縮する。具体的には、音声信号圧縮部１２は、所定の圧縮アルゴリズムで、音声信号を圧縮し、圧縮された音声信号を出力する。
【００３０】
ミュートスイッチ１３は、制御部２０から音声信号の出力が許可されている状態、すなわち音声ミュート状態が設定されていない場合には、音声信号圧縮部１２で圧縮された音声信号をそのまま出力する。ミュートスイッチ１３は、制御部２０から音声信号の出力が停止されている状態、制御部２０から音声ミュート状態が設定されている場合には、音声信号の出力を停止する。
【００３１】
周波数変調部１４は、音声信号の周波数を変調する。具体的には、周波数変調部１４は、ＦＭ波等のキャリア波を生成し、そのキャリア波を用いて音声信号を変調する。
【００３２】
アンプ１５は、周波数変調部１４で変調された音声信号を増幅し、増幅した音声信号に従って、赤外線送信部１６を駆動する。アンプ１５は、制御部２０から赤外線信号の出力の停止信号が入力されていない場合には、増幅した音声信号に対応する赤外線信号をそのまま出力する。アンプ１５は、制御部２０から赤外線信号の出力を停止する信号が入力されている場合には、増幅した音声信号に対応する赤外線信号の出力を停止する。
【００３３】
赤外線送信部１６は、赤外線を出射する発光ダイオードを含む回路である。赤外線送信部１６は、アンプ１５によって駆動され、アンプ１５で増幅された音声信号に対応する赤外線信号を外部に出力する。出力された赤外線信号は、カラオケ装置本体２で受信される。
【００３４】
音声入力部１０と、プリアンプ１１と、音声信号圧縮部１２と、ミュートスイッチ１３と、周波数変調部１４と、アンプ１５と、赤外線送信部１６とは、マイク本体４内にセットされた電池から電力供給を受けてそれぞれ連続動作する。これにより、マイク本体４は、音声を入力し、その音声に対応する赤外線信号を出力する連続動作が可能となる。
【００３５】
続いて、マイク本体４の上記各構成要素を制御する制御装置５の構成要素について説明する。
【００３６】
加速度センサ２１は赤外線ワイヤレスマイク３に生じる加速度情報を検出する加速度ピックアップである。赤外線ワイヤレスマイク３に加速度が加わると、加速度センサ２１の出力が変化する。例えば、赤外線ワイヤレスマイク３が手から落ちると、加速度センサ２１のセンサ出力は急激に変化する。したがって、加速度センサ２１のセンサ出力を監視すれば、赤外線ワイヤレスマイク３が落下したことを検出することができる。
【００３７】
ジャイロセンサ２２は、赤外線ワイヤレスマイク３の姿勢情報を検出する。赤外線ワイヤレスマイク３がテーブル７やソファ８に置かれた場合には、赤外線ワイヤレスマイク３は静止状態となる。したがって、ジャイロセンサ２２のセンサ出力を監視すれば、赤外線ワイヤレスマイク３が静止状態にあるか否かを検出することができる。
【００３８】
また、静止状態にあった赤外線ワイヤレスマイク３が誰かに把持され使用中となれば、ジャイロセンサ２２のセンサ出力は変化する。したがって、ジャイロセンサ２２のセンサ出力を監視すれば、赤外線ワイヤレスマイク３が使用中になったか否かをも検出することができる。
【００３９】
制御部２０は、赤外線ワイヤレスマイク３の動作を統括制御するマイクロコンピュータである。
【００４０】
図４に示すように、赤外線ワイヤレスマイク３は、ハードウエア構成として、内部バス３０と、ＣＰＵ（Central Processing Unit）３１、主記憶部３２、外部記憶部３３及び入出力部３４を備える。主記憶部３２、外部記憶部３３及び入出力部３４はいずれも内部バス３０を介してＣＰＵ３１に接続されている。
【００４１】
ＣＰＵ３１は、情報処理を行うプロセッサである。ＣＰＵ３１が、外部記憶部３３に記憶されているプログラム３９を実行することにより、赤外線ワイヤレスマイク３の制御装置５の制御機能が実現される。なお、ＣＰＵ３１は、不図示のクロック発生部から一定の周期で変動するクロック信号を入力し、時間計測が可能になっている。
【００４２】
主記憶部３２は、ＲＡＭ（Random-Access Memory）等から構成されている。主記憶部３２には、外部記憶部３３に記憶されているプログラム３９がロードされる。この他、主記憶部３２は、ＣＰＵ３１の作業領域（データの一時記憶領域）として用いられる。
【００４３】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成される。外部記憶部３３には、ＣＰＵ３１に実行させるためのプログラム３９があらかじめ記憶されている。また、外部記憶部３３は、ＣＰＵ３１の指示に従って、このプログラム３９の実行の際に用いられるデータをＣＰＵ３１に供給し、ＣＰＵ３１から供給されたデータを記憶する。
【００４４】
入出力部３４は、赤外線ワイヤレスマイク３の各種構成要素の入出力インターフェイスである。入出力部３４は、加速度センサ２１、ジャイロセンサ２２、ミュートスイッチ１３及びアンプ１５等と接続されている。
【００４５】
入出力部３４は、加速度情報を加速度センサ２１から入力し、姿勢情報をジャイロセンサ２２から入力する。入力された加速度情報、姿勢情報は、内部バス３０を介してＣＰＵ３１に送られる。ＣＰＵ３１は、プログラム３９を実行する過程において、入力された加速度情報、姿勢情報を用いる。具体的には、ＣＰＵ３１は、加速度センサ２１のセンサ出力に基づいて赤外線ワイヤレスマイク３の落下を検出する。また、ＣＰＵ３１は、ジャイロセンサ２２のセンサ出力に基づいて赤外線ワイヤレスマイク３が一定時間静止状態であることを検出する。
【００４６】
さらに、ＣＰＵ３１は、プログラム３９を実行する過程において、赤外線ワイヤレスマイク３の落下を検出すると、赤外線ワイヤレスマイク３の動作を停止する制御を行う。また、ＣＰＵ３１は、赤外線ワイヤレスマイク３が一定時間静止状態であることを検出すると、赤外線ワイヤレスマイク３の動作を停止する制御を行う。具体的には、ＣＰＵ３１は、ミュートスイッチ１３へ音声信号の出力を停止する信号を出力し、アンプ１５に赤外線信号の出力を停止する信号を出力する。
【００４７】
ＣＰＵ３１から出力された音声信号の出力を停止する停止信号は、内部バス３０を介して入出力部３４に送られ、入出力部３４からミュートスイッチ１３に出力される。また、ＣＰＵ３１から出力された赤外線信号の出力を停止する停止信号は、内部バス３０を介して入出力部３４に送られ、入出力部３４からアンプ１５に出力される。
【００４８】
また、ＣＰＵ３１は、プログラム３９の実行過程において、赤外線ワイヤレスマイク３の動作を停止した後、ジャイロセンサ２２のセンサ出力により赤外線ワイヤレスマイク３の移動を検出する。ＣＰＵ３１は、赤外線ワイヤレスマイク３の移動を検出すると、赤外線ワイヤレスマイク３の動作を再開する。具体的には、ＣＰＵ３１は、内部バス３０、入出力部３４を介して、ミュートスイッチ１３へ音声信号の出力を許可する許可信号を出力し、アンプ１５に赤外線信号の出力を許可する許可信号を出力する。
【００４９】
次に、本実施の形態に係る赤外線ワイヤレスマイク３の制御装置５の動作について説明する。図５には、制御装置５によって実行されるプログラム３９のフローチャートが示されている。
【００５０】
図５に示すように、まず、制御部２０は、センサが動作中（センサースイッチオン）となるまで待つ（ステップＳ１；Ｎｏ）。センサが動作中である場合（ステップＳ１；Ｙｅｓ）、制御部２０は、静止状態であるか否かを判定する（ステップＳ２）。静止状態でなければ（ステップＳ２；Ｎｏ）、制御部２０は、落下を検知したか否かを判定する（ステップＳ３）。落下を検知しなければ（ステップＳ３；Ｎｏ）、制御部２０は、音声ミュート解除状態及び赤外線オン状態とする（ステップＳ４）。その後、制御部２０は、ステップＳ１に戻る。赤外線ワイヤレスマイク３の使用中は、制御部２０は、ステップＳ１→Ｓ２→Ｓ３→Ｓ４を繰り返している。
【００５１】
この繰り返しの間、静止状態を検出した場合（ステップＳ２；Ｙｅｓ）、制御部２０は、静止時間測定モードに移行する（ステップＳ５）。これにより、制御部２０は、静止状態を検出してからの時間計測を開始する。続いて、制御部２０は、Ｔ秒経過したか否か判定する（ステップＳ６）。ここでは、計時を開始した直後なので、判定は否定され（ステップＳ６；Ｎｏ）、制御部２０は、ステップＳ２に戻る。静止状態である限り（ステップＳ２；Ｙｅｓ）、制御部２０は、ステップＳ２→Ｓ５→Ｓ６を繰り返す。
【００５２】
ステップＳ２→Ｓ５→Ｓ６を繰り返していた場合に、ジャイロセンサ２２のセンサ出力に基づいて、静止状態でないと判定すると（ステップＳ２；Ｎｏ）、制御部２０は、落下検知を行う（ステップＳ３）。落下を検知しなければ（ステップＳ３；Ｎｏ）、制御部２０は、音声ミュート解除状態及び赤外線オン状態とし（ステップＳ４）、ステップＳ１に戻る。制御部２０は、ステップＳ１→Ｓ２→Ｓ３→Ｓ４を繰り返すようになる。
【００５３】
しかしながら、静止状態である限り（ステップＳ２；Ｙｅｓ）、制御部２０は、ステップＳ２→Ｓ５→Ｓ６を繰り返す。Ｔ秒（例えば５秒）が経過すると（ステップＳ６；Ｙｅｓ）、制御部２０は、停止信号を出力して、ミュートスイッチ１３を音声ミュート状態とし、アンプ１５を赤外線オフ状態に制御する（ステップＳ７）。これにより、マイク本体４の動作が停止、すなわち音声信号の出力、赤外線信号の出力が停止される。
【００５４】
続いて、制御部２０は、再動作を検出するまで待つ（ステップＳ８；Ｎｏ）。再動作を検出すると（ステップＳ８；Ｙｅｓ）、制御部２０は、ミュートスイッチ１３の音声ミュート状態を解除し、アンプ１５の赤外線オフ状態を解除して赤外線オン状態とし（ステップＳ４）、ステップＳ１に戻る。これにより、マイク本体４の動作が再開、すなわち音声信号の出力、赤外線信号の出力が再開される。制御部２０は、ステップＳ１→Ｓ２→Ｓ３→Ｓ４を繰り返すようになる。
【００５５】
ステップＳ１→Ｓ２→Ｓ３→Ｓ４の繰り返しの間、落下を検知した場合（ステップＳ３；Ｙｅｓ）、制御部２０は、ミュートスイッチ１３に停止信号を出力して、音声ミュート状態とし、アンプ１５に停止信号を出力して赤外線オフ状態とする（ステップＳ７）。その後の処理は、上述した通りである。
【００５６】
また、赤外線ワイヤレスマイク３が使用中である場合、制御部２０は、ステップＳ１→Ｓ２→Ｓ３→Ｓ４を繰り返している。この状態で、図６に示すように、使用が終了し、時刻ｔ１から、赤外線ワイヤレスマイク３がテーブル７の上に置かれ、静止状態になったとする。この場合、制御部２０は、ステップＳ２の判定を肯定し、ステップＳ２→Ｓ５→Ｓ６のループに入る。時間Ｔ経過後の時刻ｔ２に、ステップＳ６が肯定され、音声ミュート状態及び赤外線オフ状態となる（ステップＳ７）。その後、制御部２０は、再動作検知待ちとなる（ステップＳ８；Ｎｏ）。その後の処理は、上述した通りである。
【００５７】
この状態では、マイク本体４における電力消費が抑制され、結果的に赤外線ワイヤレスマイク３の消費電力の低減が実現される。また、赤外線ワイヤレスマイク３がカラオケ装置本体２のスピーカの音を拾ってハウジング現象を起こすのを防止することができる。
【００５８】
時刻ｔ３で赤外線ワイヤレスマイク３が把持されると、制御部２０は、ステップＳ８を肯定し、音声ミュート状態解除、赤外線オン状態へ移行する（ステップＳ４）。これにより、赤外線ワイヤレスマイク３は使用中となり、入力された音声信号を赤外線信号に変換して出力するようになる。制御部２０は、再び、ステップＳ１→Ｓ２→Ｓ３→Ｓ４を繰り返すようになる。
【００５９】
時刻ｔ４で赤外線ワイヤレスマイク３が手から落ちた場合、制御部２０は、落下を検知すると（ステップＳ３；Ｙｅｓ）、制御部２０は、音声ミュート状態及び赤外線オフ状態となるように制御する（ステップＳ７）。これにより、赤外線ワイヤレスマイク３が床Ｆにあたって衝撃音が発生する時点では、音声信号と赤外線信号の出力は停止されており、赤外線ワイヤレスマイク３が衝撃音を拾って、カラオケ装置本体２で再生されるのを防ぐことができる。
【００６０】
時刻ｔ５で赤外線ワイヤレスマイク３が把持されると、制御部２０は、ステップＳ８を肯定し、音声ミュート解除状態、赤外線オン状態へ移行する（ステップＳ４）。これにより、赤外線ワイヤレスマイク３は使用中となる。制御部２０は、ステップＳ１→Ｓ２→Ｓ３→Ｓ４を再び繰り返す。
【００６１】
以上詳細に説明したように、本実施の形態によれば、赤外線ワイヤレスマイク３の落下や一定時間静止状態であることを検出すると、赤外線ワイヤレスマイク３の動作を停止する制御を行う。これにより、赤外線ワイヤレスマイク３が、衝撃音等を拾わないようにするとともに使用中でない場合の不要な電力消費を防ぐことができる。すなわち、本実施の形態によれば、耳障りなハウリング、衝撃音の発生を抑制し、音響設備の損傷を防止するとともに、消費電力を低減することができる。
【００６２】
なお、上記実施の形態では、ミュートスイッチ１３による音声信号のミュートと、アンプ１５による赤外線出力のオフとを同時に行ったが、本発明はこれには限られない。いずれか一方のみを行うようにしてもよい。しかしながら、ミュートスイッチ１３による音声信号のミュートと、アンプ１５による赤外線出力のオフとを同時に行うようにすれば、フフェールセーフ設計を実現し、耳障りなハウリング、衝撃音の発生をより確実に防止することが可能となる。
【００６３】
また、上記実施の形態では、赤外線ワイヤレスマイク３が静止状態となってから、動作を停止するまでの時間Ｔを５秒としたが、本発明はこれには限られない。時間Ｔは調整可能であってもよい。
【００６４】
また、上記実施の形態では、制御部２０は、赤外線ワイヤレスマイク３の動作を停止した後、ジャイロセンサ２２により赤外線ワイヤレスマイク３の移動、すなわち再動作を検出すると、赤外線ワイヤレスマイク３の動作を再開する。このようにすれば、赤外線ワイヤレスマイク３を使用する場合にはその動作を速やかに開始することができる。
【００６５】
また、上記実施の形態では、静止状態での停止動作と、落下での停止動作を１つのプログラム３９で実行したが、本発明はこれには限られない。ＣＰＵ３１がマルチタスク実行可能なプロセッサである場合には、静止状態での停止動作を行うプログラムと、落下での停止動作を行うプログラムを並行して処理するようにしてもよい。
【００６６】
その他、赤外線ワイヤレスマイク３の制御装置５のハードウエア構成やソフトウエア構成は一例であり、任意に変更および修正が可能である。
【００６７】
コンピュータの処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行するコンピュータを構成してもよい。また、インターネット等の通信ネットワーク上のサーバ装置が有する記憶装置に当該コンピュータプログラムを格納しておき、通常のコンピュータシステムがダウンロード等することでコンピュータを構成してもよい。
【００６８】
コンピュータの機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００６９】
搬送波にコンピュータプログラムを重畳し、通信ネットワークを介して配信することも可能である。たとえば、通信ネットワーク上の掲示板（BBS, Bulletin Board System）にコンピュータプログラムを掲示し、ネットワークを介してコンピュータプログラムを配信してもよい。そして、このコンピュータプログラムを起動し、ＯＳの制御下で、他のアプリケーションプログラムと同様に実行することにより、前記の処理を実行できるように構成してもよい。
【００７０】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００７１】
本発明は、赤外線ワイヤレスマイクの制御装置及び赤外線ワイヤレスマイクに適用することができる。
【符号の説明】
【００７２】
１  カラオケシステム、２  カラオケ装置本体、３  赤外線ワイヤレスマイク、４  マイク本体、５  制御装置、６  センサ類、７  テーブル、８  ソファ、１０  音声入力部、１１  プリアンプ、１２  音声信号圧縮部、１３  ミュートスイッチ、１４  周波数変調部、１５  アンプ、１６  赤外線送信部、２０  制御部、２１  加速度センサ、２２  ジャイロセンサ、３０  内部バス、３１  ＣＰＵ、３２  主記憶部、３３  外部記憶部、３４  入出力部、３９  プログラム、Ｆ  床
【図１】
2019080208.tif 000003
【図２】
2019080208.tif 000004
【図３】
2019080208.tif 000005
【図４】
2019080208.tif 000006
【図５】
2019080208.tif 000007
【図６】
2019080208.tif 000008